【手続補正書】
【提出日】平成29年11月17日(2017.11.17)
【手続補正１】
【補正対象書類名】特許請求の範囲
【補正対象項目名】全文
【補正方法】変更
【補正の内容】
【特許請求の範囲】
【請求項１】
領域についての適応型需要応答を提供する方法であって、
プロセッサが、前記領域についての需要応答イベントを示す需要応答要求を受信する段階(300)と、
前記プロセッサが、前記需要応答要求に基づいて、前記需要応答イベント中の前記領域についての最大消費電力を決定する段階(304)と、
前記プロセッサが、前記需要応答イベントの前に、前記需要応答イベント中の前記領域についての1つまたは複数の目標点を、前記最大消費電力に基づいて決定する段階(308)と、
前記プロセッサが、前記需要応答イベントの前、または前記需要応答イベント中に、前記領域についての前記1つまたは複数の目標点に少なくとも部分的に基づいて、前記領域についてのリアルタイムの消費電力を計算する段階(312)と、
前記プロセッサが、前記リアルタイムの消費電力が前記最大消費電力を超える場合、前記リアルタイムの消費電力を前記最大消費電力以下に維持するように前記領域内の1つまたは複数の負荷を制御する段階(316)と、を含み、
前記1つまたは複数の分散負荷を制御する段階(316)が、前記領域内の1つまたは複数のプラグイン負荷および1つまたは複数の中央照明システム(124)を制御する段階を含み、
前記1つまたは複数のプラグイン負荷を制御する段階が、
前記1つまたは複数のプラグイン負荷に関連する1つまたは複数のデバイス(170)と通信する複数のゲートウェイコントローラ(108)への案内要求を開始する段階と、
前記案内要求に応答して、前記複数のゲートウェイコントローラ(108)から情報を受信する段階と、
この情報に基づいて、前記1つまたは複数のデバイス(170)に、前記リアルタイムの消費電力と前記最大消費電力との間の差に等しい負荷制限を割り当てる段階と、
前記割り当てることに基づいて、前記複数のゲートウェイコントローラ(108)に対する制御命令を生成する段階と
を含む、方法。
【請求項２】
前記1つまたは複数の負荷を制御する段階(316)が、1つまたは複数の分散負荷を制御する段階を含む、請求項1に記載の方法。
【請求項３】
前記1つまたは複数の負荷を制御する段階(316)が、占有情報、ユーザ嗜好、または活動スケジュールに基づいて、1つまたは複数の分散負荷を制御する段階を含み、前記占有情報は、前記領域内の１人または複数のユーザの存在を示す情報である、請求項1に記載の方法。
【請求項４】
前記1つまたは複数の分散負荷を制御する段階が、前記領域内の1つまたは複数の中央照明システム(124)を制御する段階を含む、請求項3に記載の方法。
【請求項５】
前記1つまたは複数の分散負荷を制御する段階が、前記領域内の1つまたは複数のプラグイン負荷を制御する段階を含む、請求項3に記載の方法。
【請求項６】
前記1つまたは複数のプラグイン負荷が、前記領域内の中央照明システムの一部ではない1つまたは複数のコンピュータまたはライトによるものである、請求項5に記載の方法。
【請求項７】
前記情報が、占有情報、ユーザ嗜好、ユーザ入力、または活動スケジュールを含み、前記占有情報は、前記領域内の１人または複数のユーザの存在を示す情報である、請求項1に記載の方法。
【請求項８】
計算する段階(312)および制御する段階(316)が、前記需要応答イベントの前、および前記需要応答イベント中に実行される、請求項1に記載の方法。
【請求項９】
計算する段階(312)および制御する段階(316)が、前記需要応答イベント中に少なくとも2回実行される、請求項1に記載の方法。
【請求項１０】
領域についての適応型需要応答を提供するためのプログラムされたプロセッサによって実行可能な命令を表すデータを内部に格納した非一時的なコンピュータ可読記憶媒体であって、
前記領域についての負荷制限目標を指示した前記領域についての需要応答イベントを示す需要応答要求を受信することと、
前記需要応答イベントの前に、前記負荷制限目標に基づいて、前記領域についての1つまたは複数の目標点を決定することと、
前記需要応答イベントの前、または前記需要応答イベント中に、前記領域についての前記1つまたは複数の目標点に少なくとも部分的に基づく前記領域のリアルタイムの消費電力を計算することと、
前記リアルタイムの消費電力が前記領域についての前記負荷制限目標を満たさない場合、前記領域についての前記負荷制限目標を満たすために、前記領域内の1つまたは複数の分散負荷を制御することと
を行うための命令を含み、
前記1つまたは複数の分散負荷を制御することが、前記領域内の1つまたは複数のプラグイン負荷および1つまたは複数の中央照明システムを制御することを含み、
前記1つまたは複数のプラグイン負荷を制御することが、
前記1つまたは複数のプラグイン負荷に関連する1つまたは複数のデバイスと通信する複数のゲートウェイコントローラ(108)への案内要求を開始することと、
前記案内要求に応答して、前記複数のゲートウェイコントローラから情報を受信することと、
この情報に基づいて、前記1つまたは複数のデバイス(170)に、前記リアルタイムの消費電力と前記最大消費電力との間の差に等しい負荷制限を割り当てることと、
前記割り当てることに基づいて、前記複数のゲートウェイコントローラ(108)に対する制御命令を生成することと
を行うための命令を含む、非一時的なコンピュータ可読記憶媒体。
【請求項１１】
前記1つまたは複数の分散負荷を制御することは、占有情報、ユーザ嗜好、または活動スケジュールに基づいて、1つまたは複数の分散負荷を制御することを含み、記占有情報は、前記領域内の１人または複数のユーザの存在を示す情報である、請求項10に記載の非一時的なコンピュータ可読記憶媒体。
【請求項１２】
前記1つまたは複数の分散負荷を制御することは、前記領域内の1つまたは複数のプラグイン負荷、および1つまたは複数の中央照明システム(124)を制御することを含む、請求項10に記載の非一時的なコンピュータ可読記憶媒体。
【請求項１３】
領域についての適応型需要応答を提供するシステム(100)であって、
第1のコントローラ(104)と、
前記第1のコントローラに動作可能なように接続された複数のゲートウェイコントローラ(108)とを備え、
前記第1のコントローラ(104)が、
前記領域についての需要応答イベントを示す需要応答要求を受信することと、
前記需要応答イベントに基づいて、前記需要応答イベント中の前記領域についての最大消費電力を決定することと、
前記需要応答イベントの前に、前記需要応答イベント中の前記領域についての1つまたは複数の目標点を、前記最大消費電力に基づいて決定することと、
前記需要応答イベントの前、または前記需要応答イベント中に、前記領域についての前記1つまたは複数の目標点に少なくとも部分的に基づいて、前記領域についてのリアルタイムの消費電力を計算することと、
前記複数のゲートウェイコントローラ(108)への案内要求を開始ことと、
前記案内要求に応答して、前記複数のゲートウェイコントローラ(108)から情報を受信ことと、
前記複数のゲートウェイコントローラ(108)から受信した前記情報に基づいて、制御命令を生成することと、
前記リアルタイムの消費電力が前記最大消費電力を超える場合、前記リアルタイムの消費電力を前記最大消費電力以下に維持するように前記領域内の複数の負荷を制御するために、前記制御命令を生成することと、
前記制御命令を前記複数のゲートウェイコントローラ(108)に送信することとを行うように構成され、
前記ゲートウェイコントローラ(108)が、
前記第1のコントローラ(104)から前記制御命令を受信し、複数の分散負荷に関連する複数のデバイスまたはシステムを制御するように構成されている、
システム。
【請求項１４】
前記第1のコントローラ(104)が、前記領域についての中央照明システム(124)に動作可能なように接続され、前記第1のコントローラ(104)が、前記リアルタイムの消費電力が前記最大消費電力を超える場合、前記中央照明システム(124)を直接制御するように構成されている、請求項13に記載のシステム。
【請求項１５】
前記第1のコントローラ(104)が、占有情報、ユーザ嗜好、活動スケジュール、またはそれらの組合せに基づいて、前記制御命令を生成するように構成され、前記占有情報は、前記領域内の１人または複数のユーザの存在を示す情報である、請求項13に記載のシステム。
【請求項１６】
前記情報が、占有情報、ユーザ嗜好、ユーザ入力、活動スケジュール、またはそれらの組合せを含み、記占有情報は、前記領域内の１人または複数のユーザの存在を示す情報である、請求項13に記載のシステム。
【請求項１７】
前記制御命令が、前記複数のゲートウェイコントローラ(108)のそれぞれのための電力削減命令、前記複数のゲートウェイコントローラ(108)のそれぞれのための最大消費電力、またはそれらの組合せを含む、請求項13に記載のシステム。